(57)【特許請求の範囲】
【請求項１】
操作者に把持させる物品を載置し、上下方向に昇降動作を行う載置台と、
前記載置台を収納する収納部を開閉するカバーと、
前記カバーの開閉動作に連動して前記載置台を昇降させる昇降機構と、
を備え、
前記昇降機構は、前記載置台の昇降の可動範囲よりも前記カバーの開閉の可動範囲が広く構成され、前記カバーの開閉動作の開始に連動して同時に前記載置台の昇降を開始し、前記カバーの開閉動作が終了する前に前記載置台が昇降終了位置に達して停止する、昇降装置。
【請求項２】
前記昇降機構は、前記カバーの開閉動作により発生する力を前記載置台に伝える動力伝達部を有し、
前記動力伝達部は、前記載置台が昇降終了位置に達して停止した後、前記載置台への動力伝達を遮断する、請求項１に記載の昇降装置。
【請求項３】
前記動力伝達部は、トルクリミッタにより前記載置台への動力伝達を遮断する、請求項２に記載の昇降装置。
【請求項４】
前記動力伝達部は、１以上のギアおよびラックギアを含む、請求項２または３に記載の昇降装置。
【請求項５】
前記載置台の上昇動作は、前記載置台の延長部が前記収納部に設けられた係止部材に接することで終了する、請求項２〜４のいずれか１項に記載の昇降装置。
【請求項６】
前記載置台の下降動作は、前記載置台に接続され、前記載置台と共に昇降するラックギアが前記収納部の底部に接することで終了する、請求項２〜５のいずれか１項に記載の昇降装置。
【請求項７】
前記動力伝達部は、前記載置台の両側に一対に設けられる、請求項２〜６のいずれか１項に記載の昇降装置。
【請求項８】
前記載置台は、上昇終了位置に達した際に使用者方向に傾く、請求項１〜７のいずれか１項に記載の昇降装置。
【請求項９】
前記載置台は、上昇終了位置に達した際に前記収納部に設けられた係止部材に接する延長部を有し、当該延長部の端部は傾斜形状であって、前記係止部材に当該端部の傾斜上端が接した際、前記載置台は支点を軸として回転し、使用者方向に傾く、請求項８に記載の昇降装置。
【請求項１０】
前記物品はハンドセットである、請求項１〜９のいずれか１項に記載の昇降装置。
【発明の詳細な説明】
【技術分野】
【０００１】
本発明は、昇降装置に関する。
【背景技術】
【０００２】
従来から、空港などで上空を飛行する航空機の離着陸が安全に行われるよう、地上のオペレータ（管制官）が、航空機のパイロットや関係施設に対して音声通話にて誘導や指示を行う航空管制システムが提案されている。オペレータは、管制卓に設けられている電話機や無線機を用いて航空機や関係施設と音声通話を行う。従来の管制卓では、例えば管制卓埋め込み型のハンドセットが設けられ、オペレータは管制卓の収納部に埋め込まれているハンドセットの蓋となっているカバーを開閉してハンドセットを取り出していた。
【０００３】
また、収納されている物品を収納部から取り出す構造に関しては、例えば下記特許文献１では、アタッシュケースの蓋の開閉に連動させて稼働板を昇降させることで、ケース内に収納されているノート型パソコン等を即時に使用することができる技術が開示されている。また、一つの駆動動作に連動して他の機構を駆動する構造に関し、例えば下記特許文献２では、一つの駆動モータの駆動力を開閉駆動機構とノズル駆動機構とに連動して伝達する連動伝達機構において、駆動動作中に手動で動かした場合にギアが空転して破損を防ぐ技術が開示されている。
【先行技術文献】
【特許文献】
【０００４】
【特許文献１】特開平１０−３３７２０９号公報
【特許文献２】特開２００４−１７６３６９号公報
【発明の概要】
【発明が解決しようとする課題】
【０００５】
しかしながら、ハンドセットが管制卓の奥側に収納されていると、オペレータが座位で操作する際にハンドセットを収納部から取り出し難くいという問題があった。
【０００６】
上述したように、アタッシュケースからのノート型パソコン等の取り出しに関しては、上記特許文献１において、アタッシュケースの蓋の開閉に連動させて稼働板を昇降させることでケース内からノート型パソコン等を即時に使用することができるようにした構造が開示されている。
【０００７】
そこで、本発明は、上記問題に鑑みてなされたものであり、本発明の目的とするところは、収納部からの物品の取り出しにおける操作性をさらに向上させることが可能な、新規かつ改良された昇降装置を提供することにある。
【課題を解決するための手段】
【０００８】
上記課題を解決するために、本発明のある観点によれば、操作者に把持させる物品を載置し、上下方向に昇降動作を行う載置台と、前記載置台を収納する収納部を開閉するカバーと、前記カバーの開閉動作に連動して前記載置台を昇降させる昇降機構と、を備え、前記昇降機構は、前記載置台の昇降の可動範囲よりも前記カバーの開閉の可動範囲が広く構成され、前記カバーの開閉動作の開始に連動して同時に前記載置台の昇降を開始し、前記カバーの開閉動作が終了する前に前記載置台が昇降終了位置に達して停止する昇降装置が提供される。
【０００９】
また、前記昇降機構は、前記カバーの開閉動作により発生する力を前記載置台に伝える動力伝達部を有し、前記動力伝達部は、前記載置台が昇降終了位置に達して停止した後、前記載置台への動力伝達を遮断してもよい。
【００１０】
また、前記動力伝達部は、トルクリミッタにより前記載置台への動力伝達を遮断してもよい。
【００１１】
また、前記動力伝達部は、１以上のギアおよびラックギアを含んでもよい。
【００１２】
また、前記載置台の上昇動作は、前記載置台の延長部が前記収納部に設けられた係止部材に接することで終了してもよい。
【００１３】
また、前記載置台の下降動作は、前記載置台に接続され、前記載置台と共に昇降するラックギアが前記収納部の底部に接することで終了してもよい。
【００１４】
また、前記動力伝達部は、前記載置台の両側に一対に設けられてもよい。
【００１５】
また、前記載置台は、上昇終了位置に達した際に使用者方向に傾いてもよい。
【００１６】
また、前記載置台は、上昇終了位置に達した際に前記収納部に設けられた係止部材に接する延長部を有し、当該延長部の端部は傾斜形状であって、前記係止部材に当該端部の傾斜上端が接した際、前記載置台は支点を軸として回転し、使用者方向に傾いてもよい。
【００１７】
また、前記物品はハンドセットであってもよい。
【発明の効果】
【００１８】
以上説明したように本発明によれば、収納部からの物品の取り出しにおける操作性をさらに向上させることができる。
【図面の簡単な説明】
【００１９】
【図１】本実施形態による航空管制卓の外観構成の一例を示す図である。
【図２】従来の卓埋め込み型のハンドセット収納機構について説明する図である。
【図３】本実施形態によるハンドセット収納機構の構成を示す図である。
【図４】本実施形態によるハンドセット収納機構の動作を示す遷移図である。
【図５】本実施形態によるカバーの開閉とステージの昇降との関係性を示す図である。
【図６】本実施形態の変形例によるハンドセット収納機構の構成を示す図である。
【図７】変形例によるハンドセット収納機構の開放動作を示す遷移図である。
【図８】変形例によるハンドセット収納機構の閉鎖動作を示す遷移図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
また、本明細書及び図面において、実質的に同一の機能構成を有する複数の構成要素を、同一の符号の後に異なるアルファベットを付して区別する場合もある。
【００２２】
また、以下に示す順序に従って当該「発明を実施するための最良の形態」を説明する。
１．航空管制卓の外観
２．ハンドセット収納機構の詳細説明
２−１．構成
２−２．動作
２−３．効果
３．変形例
４．まとめ
【００２３】
＜１．航空管制卓の外観＞
まず、本実施形態による航空管制システムに含まれる、地上のオペレータ（管制官）が利用する航空管制卓の外観について図１を参照して説明する。図１は、本実施形態による航空管制卓１の外観構成の一例を示す図である。図１に示すように、航空管制卓１の中央上部には、航空機の位置や航空機の離着陸順の支援情報等が表示されるメイン画面表示部２が設けられている。また、メイン画面表示部２の下方には、気象情報等の業務に必要な情報が表示される複数の補助画面表示部３ａ〜３ｄが設けられる。なお補助画面表示部３ａ〜３ｄは、タッチパネルディスプレイにより実現されていてもよい。
【００２４】
また、補助画面表示部３ａ〜３ｄの手前側に位置する卓面５は、オペレータの作業用スペースであって、航空機や関係施設との間で使用する通信回線の選択を行うための物理的な多数のスイッチ（不図示）が設けられている。また、卓面５の手前両側のカバー６ａ、６ｂの内部にはジャックコネクタが収納されている。
【００２５】
そして、卓面５の奥側には、卓埋め込み型のハンドセット収納機構（昇降装置）４が設けられている。オペレータ（管制官）は、ハンドセット収納機構４の蓋を開閉して中からハンドセットを取り出し、電話回線による音声通話を行うことが可能である。なお、図１においてハンドセット収納機構４を左奥側に配置しているが、本実施形態はこれに限定されず、右奥側等、卓面５の他の場所に配置しても構わない。
【００２６】
（背景）
ここで、航空管制卓１に設けられる従来の卓埋め込み型のハンドセット収納機構について、図２を参照して説明する。図２は、従来の卓埋め込み型のハンドセット収納機構について説明する図である。
【００２７】
図２に示すように、従来の卓埋め込み型のハンドセット収納機構は、収納部７０、回転して開閉可能なカバー７１、収納部７０とカバー７１を回転結合する開閉軸７２、ハンドセット７３、ハンドセット７３を保持する矩形形状のクレイドルスタンド７４を含む。カバー７１は、開閉軸７２を支点として開閉動作を行う。オペレータは、ハンドセット７３を利用する際、カバー７１を手動で回転させ、クレイドルスタンド７４に保持されているハンドセット７３を収納部７０から取り出す。
【００２８】
具体的には、カバー７１は、図２上段に示すように、ハンドセット７３を収納している際は収納部７０の上方に位置する開口部を塞ぐよう位置する。一方、オペレータがハンドセット７３を取り出す際、カバー７１は、図２下段に示すように、開閉軸７２を支点としてオペレータから見て管制卓奥側方向（図面左方向）に回転動作を行い、収納部７０の開口部を開放する。カバー７１の回転動作は収納部７０の内底面に接触して止まる。図２下段に示すように、収納部７０の開口部が開放されると、オペレータは図面右方向から手を伸ばして収納部７０のクレイドルスタンド７４に把持されているハンドセット７３を取り出すことができる。
【００２９】
しかしながら、ハンドセット収納機構は航空管制卓１の卓面５の奥側に配置されているため、座位での操作において、収納部７０に手を入れてハンドセット７３を取り出す際にオペレータによっては収納部７０内部の視認性が悪く、また、ハンドセット７３が収納部７０から取り出し難く操作性が十分に満たされなかった。また、ハンドセット７３の長手方向の長さに対応する開口部の開閉を行うカバー７１は幅広な形状を有するため、回転動作の際に左右に位相差が生じて動作に余計な負荷が掛り、磨耗や拗れ、異音等の動作不良等が生じる場合があった。また、オペレータが直に触れて手動で回転動作させるため、ハンドセット７３が過負荷により変形や破損してしまうこともあった。
【００３０】
そこで、上記事情を一着眼点にして本発明の実施形態によるハンドセット収納機構（昇降装置）を創作するに至った。本実施形態によるハンドセット収納機構は、収納部からの物品の取り出しにおける操作性をさらに向上させ、操作時の装置に対する負荷による変形や破損を回避することが可能である。
【００３１】
＜２．ハンドセット収納機構の詳細説明＞
続いて、本発明の一実施形態によるハンドセット収納機構（昇降装置）４について図３〜図５を参照して詳細に説明する。
【００３２】
（２−１．構成）
図３は、本実施形態によるハンドセット収納機構４の構成を示す図である。図３左側には、ハンドセット収納機構４の左側面図、図３右側には、ハンドセット収納機構４の正面図を示す。
【００３３】
図３に示すように、ハンドセット収納機構４は、卓面５に埋め込まれた収納部４０、回転動作により収納部４０を開閉するカバー４１、収納部４０とカバーを回転結合する回転軸４２、ハンドセット４３、ハンドセット４３を載置するステージ（載置台）４４、およびカバー４１の開閉動作に連動してステージ４４を上下方向に昇降させる昇降機構を有する。
【００３４】
昇降機構は、ステージ４４の両側に位置するラックギア４５、カバー４１の開閉回転支点である回転軸４２に固定されるドライブギア４６、伝達ギア４７、伝達ギア４７に接続するトルクリミッタ５１、ドライブギア４６の駆動力を伝達するドライブシャフト５２、ドライブシャフト５２に固定され両側のギア列を同期するカウンタギア５３、カウンタギア５３に接続するアイドルギア４８、アイドルギア４９、ラックギア４５に接続する二段ギア５０、収納部４０に設けられたステージ４４の上昇を規制するストッパ５４から構成される。
【００３５】
（２−２．動作）
図４は、本実施形態によるハンドセット収納機構４の動作を示す遷移図である。図４上段左側に示すように、カバー４１が収納部４０の開放部を塞ぐ閉鎖状態においては、ステージ４４は収納部４０の下方に位置し、載置されているハンドセット４３が収納部４０に収納されている。
【００３６】
オペレータは、ハンドセット収納機構４に収納されているハンドセット４３を取り出す場合、カバー４１を手動で奥側（図面左方向）へ回転させる。これにより、カバー４１は、図４上段中央に示すように、回転軸４２を支点にして回転動作を行い、カバー４１の回転動作により発生した回転力が、ドライブギア４６により伝達ギア４７およびトルクリミッタ５１へ伝達され、トルクリミッタ５１はドライブシャフト５２を回転させる。ドライブシャフト５２の回転により、ドライブシャフト５２の両側に設けられているカウンタギア５３が各々回転し、かかる回転力が、カウンタギア５３に接続される両列のアイドルギア４８、アイドルギア４９、および二段ギア５０へと順に伝達する。そして、二段ギア５０と接続するラックギア４５が二段ギア５０からの動力により上昇し、ラックギア４５に固定されたステージ４４も水平に上昇する。ステージ４４が上昇してストッパ５４に達すると、ステージ４４の上昇が停止する。ここで、本実施形態による昇降機構は、ステージ４４の昇降の可動範囲よりもカバー４１の可動範囲が広く構成され、カバー４１が全開するよりも先に、ステージ４４がストッパ５４に到達して上昇動作が終了する。
【００３７】
ステージ４４の上昇が停止した後も、図４上段右側に示すように、カバー４１は収納部４０の内底面に接触して止まる全開の状態まで回転動作を行うが、この際、トルクリミッタ５１がドライブシャフト５２への伝達トルクを遮断（動力伝達を遮断）する。このように、本実施形態では、カバー４１の回転動作に発生するオーバーストローク分（ステージ４４の上昇停止からカバ−４１の全開まで）が開放されることで、装置への過負荷を防止する。このようなカバー４１の開閉とステージ４４の昇降との関係性を図５に示す。図５の実線は、カバー４１が開く動作に応じたステージ４４の上昇動作を示す。図５の実線で示すように、ステージ４４が上昇終了位置に到達して停止した後も、カバー４１は全開になるまで開放動作（回転動作）を行う。
【００３８】
カバ−４１が収納部４０の内底面に接触して止まると、図４上段右側に示すように、収納部４０の開放部は全開状態となり、また、ステージ４４の上昇により卓面５からハンドセット４３が迫り出しているので、オペレータは容易にハンドセット４３を取り出すことができ、視認性・操作性が十分に満たされる。
【００３９】
続いて、ハンドセット４３を収納する場合、オペレータはハンドセット４３をステージ４４に載置し、カバー４１を手動で手前側（図面右方向）へ回転させる。これにより、カバー４１は、図４下段に示すように、回転軸４２を支点にして回転動作を行い、カバー４１の回転動作により発生した回転力が、ドライブギア４６により伝達ギア４７およびトルクリミッタ５１へ伝達され、トルクリミッタ５１はドライブシャフト５２を回転させる。ドライブシャフト５２の回転により、ドライブシャフト５２の両側に設けられているカウンタギア５３が各々回転し、かかる回転力が、カウンタギア５３に接続される両列のアイドルギア４８、アイドルギア４９、および二段ギア５０へと順に伝達する。そして、二段ギア５０と接続するラックギア４５が二段ギア５０からの動力により下降し、ラックギア４５に固定されたステージ４４も水平に下降する。ステージ４４が下降してラックギア４５の下端が収納部４０の内底面に達すると、ステージ４４の下降が停止する。上述したように、本実施形態による昇降機構は、ステージ４４の昇降の可動範囲よりもカバー４１の可動範囲が広く構成され、カバー４１が全閉するよりも先に、ラックギア４５が収納部４０の内底面に接触して下降動作が終了する。
【００４０】
ステージ４４の下降が停止した後も、図４下段に示すように、カバー４１は全閉の状態まで回転動作を行うが、この際、トルクリミッタ５１がドライブシャフト５２への伝達トルクを遮断（動力伝達を遮断）する。このように、本実施形態では、カバー４１の回転動作に発生するオーバーストローク分（ステージ４４の下降停止からカバ−４１の全閉まで）が開放されることで、装置への過負荷を防止する。このようなカバー４１の開閉とステージ４４の昇降との関係性を図５に示す。図５の二点鎖線は、カバー４１が閉じる動作に応じたステージ４４の下降動作を示す。図５の二点鎖線で示すように、ステージ４４が下降終了位置に到達して停止した後も、カバー４１は全閉になるまで閉鎖動作（回転動作）を行う。
【００４１】
（２−３．効果）
以上説明したように、本実施形態によれば、カバー４１の回転動作により発生する回転力を、ステージ４４を昇降させるラックギア４５へ伝える過程の少なくとも一部で遮断する（開放する）ことで、カバー４１の動作時におけるハンドセット４３やステージ５５に対する過負荷による変形や破損を防止することができる。また、カバー４１の回転動作とステージ４４の昇降動作における動作位相合わせを回避し、位相差による余計な負荷が掛ることを防止することができる。また、カバー４１を閉じる動作よりも早くステージ５５が下降するため、ハンドセット４３がステージ５５にしっかり載置されず、正位置からずれているような状態であっても、カバー４１を閉じる際にカバー４１がハンドセット４３に当たってしまう可能性を軽減することができるので、破損等を防止することができる。
【００４２】
また、ステージ４４の両側に同期するギア列を設けたことにより、ステージ４４を水平に昇降することができる。
【００４３】
＜３．変形例＞
続いて、本実施形態の変形例によるハンドセット収納機構について、図６〜図８を参照して詳細に説明する。
【００４４】
（３−１．構成）
図６は、本実施形態の変形例によるハンドセット収納機構４’の構成を示す図である。図６左側には、ハンドセット収納機構４’の左側面図、図６右側には、ハンドセット収納機構４’の正面図を示す。
【００４５】
ハンドセット収納機構４’の構成は、図３に示した上記実施形態によるハンドセット収納機構４と比較すると、ハンドセット４３を載置するステージ５５の構成が異なる。
ステージ５５は、回転軸５６を支点としてラックギア４５に対して一定角度の回転が可能なよう接続されている。また、ハンドセット４３が載置される板状のステージ５５からラックギア４５方向に延長する部分の端部上面は傾斜形状を有し、ステージ５５が上昇した際にストッパ５４に傾斜上端５７が先に接触する。
【００４６】
なお他の構成は図３のハンドセット収納機構４と同様であるため、ここでの詳細な説明は省略する。
【００４７】
（３−２．動作）
図７は、変形例によるハンドセット収納機構４’の開放動作を示す遷移図である。図７上段左側に示すように、カバー４１が収納部４０の開放部を塞ぐ閉鎖状態においては、ステージ４４は収納部４０の下方に位置し、載置されているハンドセット４３が収納部４０に収納されている。
【００４８】
次いで、オペレータによりカバー４１が手動で奥側（図面左方向）へ回転されると、図４を参照して説明した上記実施形態による動作と同様に、カバー４１は、図７上段中央に示すように、回転軸４２を支点にして回転動作を行い、カバー４１の回転動作により発生した回転力が、ドライブギア４６により伝達ギア４７およびトルクリミッタ５１へ伝達され、トルクリミッタ５１はドライブシャフト５２を回転させる。ドライブシャフト５２の回転により、ドライブシャフト５２の両側に設けられているカウンタギア５３が各々回転し、かかる回転力が、カウンタギア５３に接続される両列のアイドルギア４８、アイドルギア４９、および二段ギア５０へと順に伝達する。そして、二段ギア５０と接続するラックギア４５が二段ギア５０からの動力により上昇し、ラックギア４５に固定されたステージ４４も水平に上昇する。
【００４９】
ステージ４４が上昇し、ステージ４４の延長部の傾斜上端５７がストッパ５４に接すると、図７上段右側に示すように、ステージ４４は回転軸５６を支点として、ステージ４４の延長部上辺がストッパ５４に完全に当たるまで回転し、ハンドセット４３と共にオペレータ側（図面左方向）に傾斜する。ステージ４４の延長部上辺がストッパ５４に完全に当たると上昇が停止する。この時、カバー４１は全開には達しておらず、上記実施形態と同様に、ハンドセット収納機構４’では、トルクリミッタ５１によりドライブシャフト５２への伝達トルクを遮断（動力伝達を遮断）し、オーバーストローク分（ステージ５５の上昇停止からカバー４１の全開まで）を開放する。
【００５０】
そして、図７下段に示すように、カバー４１の回転動作は収納部４０の内底面に接触して停止し、収納部４０が全開となる。
【００５１】
このように、ステージ５５の上昇と傾斜により卓面５からハンドセット４３がオペレータ側に傾いて迫り出すため、オペレータは容易にハンドセット４３を取り出すことができ、視認性・操作性がさらに向上する。
【００５２】
次に、閉鎖動作について図８を参照して説明する。図８は、変形例によるハンドセット収納機構４’の閉鎖動作を示す遷移図である。図８左側に示すように、カバー４１が回転軸４２を支点にして回転動作を行うと、カバー４１の回転動作により発生した回転力が、ドライブギア４６により伝達ギア４７およびトルクリミッタ５１へ伝達され、トルクリミッタ５１はドライブシャフト５２を回転させる。ドライブシャフト５２の回転により、ドライブシャフト５２の両側に設けられているカウンタギア５３が各々回転し、かかる回転力が、カウンタギア５３に接続される両列のアイドルギア４８、アイドルギア４９、および二段ギア５０へと順に伝達する。そして、二段ギア５０と接続するラックギア４５が二段ギア５０からの動力により下降すると、ラックギア４５に回転可能に接続され、ストッパ５４に当接することで傾斜していたステージ５５が回転軸５６を支点として回転し水平の状態に戻り、その後水平状態のまま下降する。
【００５３】
次いで、図８中央に示すように、ラックギア４５の下端が収納部４０の内底面に達すると、ステージ５５の下降が停止する。この時、カバー４１は全閉には達しておらず、上記実施形態と同様に、ハンドセット収納機構４’では、トルクリミッタ５１によりドライブシャフト５２への伝達トルクを遮断（動力伝達を遮断）し、オーバーストローク分（ステージ５５の上昇停止からカバー４１の全閉まで）を開放する。
【００５４】
そして、図８右側に示すように、カバー４１が収納部４０の上方にて停止し、収納部４０が全閉される。
【００５５】
（３−３．効果）
以上説明したように本実施形態の変形例によれば、ラックギア４５とステージ５５を回転接続する回転軸５６を設けたことにより、カバー４１を開放した際に、ステージ５５に載置されるハンドセット４３が卓面５から迫り出し、さらにオペレータの方向(手前側）に傾くため、ハンドセット収納機構４’の視認性および操作性がさらに向上する。
【００５６】
＜４．まとめ＞
以上説明したように、本実施形態によるハンドセット収納機構４は、収納部からの物品の取り出しにおける操作性をさらに向上させ、操作時の装置に対する負荷による変形や破損を回避することができる。
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５７】
例えば、上記実施形態では、収納機構に収納する物品の一例としてハンドセット４３を用いたが、本発明はこれに限定されず、操作者（オペレータ）に把持させる物品を収納する収納機構には広く適用可能である。
【符号の説明】
【００５８】
１    航空管制卓
２    メイン画面表示部
３ａ〜３ｄ    補助画面表示部
４、４’    ハンドセット収納機構
５    卓面
４０    収納部
４１    カバー
４２    回転軸
４３    ハンドセット
４４、５５    ステージ
４５    ラックギア
４６    ドライブギア
４７    伝達ギア
４８、４９    アイドルギア
５０    二段ギア
５１    トルクリミッタ
５２    ドライブシャフト
５３    カウンタギア
５４    ストッパ
５６    回転軸
５７    傾斜上端
【図１】
0006569239.tif 000002
【図２】
0006569239.tif 000003
【図３】
0006569239.tif 000004
【図４】
0006569239.tif 000005
【図５】
0006569239.tif 000006
【図６】
0006569239.tif 000007
【図７】
0006569239.tif 000008
【図８】
0006569239.tif 000009